(57)【要約】移動局または基地局から伝送されるパイロットシステムの複数の伝送パターンが提供される。移動局と基地局との間のチャネルの周波数選択性および／または時間選択性に応じて、適切なパターンが選択される。選択されたパターンによって、パイロットシンボルの受信の向上が可能になる。さらに、同じ周波数を介した、同じスロットにおける、異なる移動局からの干渉および／またはバイアスを低減するために、スクランブル符号をパターンに適用することができる。
2009514459.tif 000002
【特許請求の範囲】
【請求項１】
下記を備える無線通信装置
少なくとも１つのアンテナ；
複数のクラスタをそれぞれ備える複数のパイロットシンボルのパターンを格納するメモリ；および、
前記少なくとも１つのアンテナおよび前記メモリと結合されているプロセッサであって、周波数選択性閾値に基づいて、ユーザによる伝送のために、前記複数のパイロットパターンのうちの少なくとも１つのパイロットパターンを選択するように構成されているプロセッサ。
【請求項２】
請求項１に記載の無線通信装置、ここにおいて、
前記無線通信装置がＭＩＭＯモードで伝送を受信することになっているかどうかに基づいて、前記プロセッサは、前記少なくとも１つのパイロットパターンを選択するようにさらに構成されている。
【請求項３】
請求項１に記載の無線通信装置、ここにおいて、
前記周波数選択性閾値がユーザの移動度の関数である。
【請求項４】
請求項１に記載の無線通信装置、ここにおいて、
前記少なくとも１つのパイロットパターンが、移動体ユーザのための周波数選択性パイロットパターンを備える。
【請求項５】
請求項１に記載の無線通信装置、ここにおいて、
前記メモリが、複数のスカラ関数を備え、前記プロセッサが、前記パイロットに前記複数のスカラ関数のうちの少なくとも１つを乗算することを指示するようにさらに構成されている。
【請求項６】
請求項５に記載の無線通信装置、ここにおいて、
前記複数のスカラ関数が、スカラ関数のベクトルを備え、各ベクトルが他の各ベクトルに直交する。
【請求項７】
請求項１に記載の無線通信装置、ここにおいて、
前記無線通信装置が、最大周波数と最小周波数との間の周波数範囲内の複数の周波数サブキャリアを使用して信号を受信し、前記パイロットシンボルクラスタがそれぞれ複数のパイロットシンボルを備え、前記複数のクラスタのそれぞれの前記複数のパイロットシンボルの少なくとも１つが、前記最大周波数または前記最小周波数以外の周波数サブキャリアを使用して伝送されるようにする。
【請求項８】
請求項１に記載の無線通信装置、ここにおいて、
前記周波数レンジが、時間周波数ブロックの周波数レンジを備える。
【請求項９】
請求項１に記載の無線通信装置、ここにおいて、
前記プロセッサが、前記ユーザの遅延スプレッドと前記周波数選択性閾値との関係に基づいて、前記少なくとも１つのパイロットパターンを選択するようにさらに構成されている。
【請求項１０】
下記を備える無線通信装置：
前記無線装置から伝送され、複数のクラスタをそれぞれ備える複数のパイロットシンボルのパターンを格納するメモリと、
前記メモリに結合されており、周波数選択性閾値に基づいて、ユーザによる伝送のために、前記複数のパイロットパターンのうちの少なくとも１つのパイロットパターンを選択するための手段。
【請求項１１】
請求項１０に記載の無線通信装置、ここにおいて、
前記手段が、前記無線通信装置がＭＩＭＯモードで伝送を受信することになっているかどうかに基づいて、前記少なくとも１つのパイロットパターンを選択するための手段をさらに備える。
【請求項１２】
請求項１０に記載の無線通信装置、ここにおいて、
前記手段が、前記ユーザの速度に基づいて、前記少なくとも１つのパイロットパターンを選択するための手段をさらに備える。
【請求項１３】
請求項１０に記載の無線通信装置、ここにおいて、
前記無線通信装置が、最大周波数と最小周波数との間の周波数範囲内の複数の周波数サブキャリアを使用して信号を受信し、前記クラスタがそれぞれ複数のパイロットシンボルを備え、前記複数のクラスタのそれぞれの前記複数のパイロットシンボルの少なくとも１つが、前記最大周波数または前記最小周波数以外の周波数サブキャリアを使用して伝送されるようにする。
【請求項１４】
請求項１３に記載の無線通信装置、ここにおいて、
前記選択するための手段が、前記ユーザの遅延スプレッドと前記周波数選択性閾値との関係に基づいて選択するための手段をさらに備える。
【請求項１５】
無線通信システムにおいてパイロットを伝送するための方法、該方法は下記を備える：
ユーザの周波数選択性を決定すること；および、
周波数選択性閾値に基づいて、前記ユーザのためにパイロットパターンを選択すること。
【請求項１６】
決定することが、前記ユーザの速度に基づいて決定することを備える請求項１５に記載の方法。
【請求項１７】
選択することが、前記周波数選択性閾値に対する前記速度に基づいて選択することを備える請求項１６に記載の方法。
【請求項１８】
選択することが、前記速度に基づいてパイロットの数を選択することを備える請求項１７に記載の方法。
【請求項１９】
決定することが、前記ユーザの遅延スプレッドに基づいて決定することを備える請求項１５に記載の方法。
【請求項２０】
決定することが、ドップラースプレッドに基づいて決定することを備える請求項１５に記載の方法。
【発明の詳細な説明】
【技術分野】
【０００１】
本書は、一般に、無線通信に関し、特に、直交周波数分割無線通信システムにおけるパイロット情報の伝送に関する。
【背景技術】
【０００２】
直交周波数分割多元接続（ＯＦＤＭＡ）システムは、直交周波数分割多重方式（ＯＦＤＭ）を使用する。ＯＦＤＭは、全システム帯域幅を複数（Ｎ個）の直交周波数サブキャリアに分割するマルチキャリア変調技術である。これらのサブキャリアは、トーン、ビン、また周波数チャネルとも呼ばれ得る。各サブキャリアは、データで変調され得る。各ＯＦＤＭシンボル周期（OFDM symbol period）に、最高Ｎ個までの変調シンボルを、Ｎ個の全サブキャリアで送信することができる。これらの変調シンボルは、Ｎポイント逆高速フーリエ変換（ＩＦＦＴ）により時間領域に変換されて、Ｎ個の時間領域チップまたはサンプルを含む変換済みシンボルを生成する。
【０００３】
周波数ホッピング通信システムでは、データは、「ホップ周期」と呼ばれ得る異なる時間区間で、異なる周波数サブキャリア上で伝送される。これらの周波数サブキャリアは、直交周波数分割多重、他のマルチキャリア変調技術、または他の何らかの構成体によって提供され得る。周波数ホッピングでは、データ伝送は、疑似ランダムな方法で、サブキャリアからサブキャリアにホップする。このホッピングによって、周波数ダイバーシティが提供され、データ伝送が、狭帯域干渉、ジャミング、フェージングなど、有害なパス効果により良く耐えることができるようになる。
【０００４】
ＯＦＤＭＡシステムは、複数の移動局を同時にサポートすることができる。周波数ホッピングのＯＦＤＭＡシステムの場合、所与の移動局についてのデータ伝送は、特定の周波数ホッピング（ＦＨ）シーケンスに関連付けられている「トラヒック」チャネル上で送信され得る。このＦＨシーケンスは、各ホップ周期おいてデータ伝送に使用する特定のサブキャリアを示す。複数の移動局についての複数のデータ伝送は、異なるＦＨシーケンスに関連付けられている複数のトラヒックチャネル上で同時に送信され得る。これらのＦＨシーケンスは、１つのトラヒックチャネルのみ、およびしたがって１つのデータ通信のみが、各ホップ周期に各サブキャリアを使用するように、互いに直交するように定義されていてもよい。直交するＦＨシーケンスを使用することによって、複数のデータ伝送は、一般に、周波数ダイバーシティの恩恵にあずかりながら、互いに干渉しない。
【０００５】
無線チャネルを介して送信されるデータを回復するために、通常、送信機と受信機との間の無線チャネルの正確な推定が必要である。チャネル推定は、一般に、送信機からパイロットを送信し、受信機でパイロットを測定することによって行われる。パイロット信号は、送信機および受信機の両方によって先験的に知られているパイロットシンボルで構成される。したがって、受信機は、受信されたシンボルおよび既知のシンボルに基づいて、チャネル応答を推定することができる。
【０００６】
ホップ周期中の、任意の特定の移動局から基地局への各伝送の部分は、しばしば「逆方向リンク（reverse link）」伝送と呼ばれ、パイロットシンボルの伝送に割り当てられる。一般に、パイロットシンボルの数は、チャネル推定の品質、およびしたがって、パケット誤り率の性能を決定する。しかし、パイロットシンボルの使用によって、達成できる有効な伝送データレートの低減がもたらされる。すなわち、より多くの帯域幅がパイロット情報に割り当てられるので、データ伝送に利用可能な帯域幅は、より少なくなる。
【０００７】
ＦＨ−ＯＦＤＭＡシステムの１つのタイプは、複数の移動局が周波数およびシンボル周期の隣接するグループに割り当てられるブロック化されたホップシステムである。こうしたシステムでは、ブロックは、パイロットおよびデータ伝送の両方に使用できる限られた量のシンボルおよびトーンを有しているため、パイロット情報が移動局から確実に受信されると同時に、パイロット情報に割り当てられる帯域幅を低減することが重要である。
【発明の開示】
【発明の概要】
【０００８】
一実施形態では、移動局または基地局から伝送されるパイロットシンボルに、パイロットシンボルパターンが提供される。このパターンによって、伝送されたパイロットシンボルの改良された受信および復調が可能になる。パイロットパターンの選択は、ユーザの周波数選択性および周波数選択性閾値（frequency selective threshold）に基づいていてもよい。
【０００９】
追加の実施形態では、ＯＦＤＭシステムにおいて、同じ周波数を介した、同じタイムスロットにおける、ある基地局の同じセクタ内の異なる移動局からの干渉および／またはバイアスなしに、パイロットシンボルを多重化することができる能力を改善する方式が提供される。
【００１０】
さらに別の実施形態では、ＯＦＤＭシステムにおいて、同じ周波数を介した、同じタイムスロットにおける、隣接するセル内の異なる移動局から伝送されるパイロットシンボルのバイアスまたは干渉を低減する方式が提供される。
【００１１】
他の実施形態では、パイロットシンボルパターンを変える方法が提供される。また、さらに別の実施形態では、パイロットシンボルを生成する方法が提供される。
【００１２】
本実施形態の特徴、性質、および利点は、以下に記載された詳細な説明を、同様の参照文字が全体を通して同様に付されている図面と併せ読めば、より明らかになるであろう。
【詳細な説明】
【００１３】
図１を参照すると、一実施形態による多元接続無線通信システムが示されている。基地局１００は、１つまたは複数のアンテナをそれぞれ含む複数のアンテナグループ１０２、１０４、および１０６を含んでいる。図１において、アンテナグループ１０２、１０４、および１０６ごとにアンテナのみが示されているが、基地局１００のセクタに対応する各アンテナグループに、複数のアンテナを使用することができる。移動局１０８は、アンテナ１０４と通信し、この場合、アンテナ１０４は、順方向リンク（forward link）１１４を介して情報を移動局１０８に伝送し、逆方向リンク１１２を介して移動局１０８から情報を受信する。移動局１１０は、アンテナ１０６と通信し、この場合、アンテナ１０６は、順方向リンク１１８を介して情報を移動局１１０に伝送し、逆方向リンク１１６を介して移動局１１０から情報を受信する。
【００１４】
アンテナ１０２、１０４、および１０６の各グループ、および／またはそれらが通信するように設計されているエリアは、しばしば基地局のセクタと呼ばれる。この実施形態では、アンテナグループ１０２、１０４、および１０６はそれぞれ、基地局１００によってカバーされるエリアのセクタ、すなわちセクタ１２０、１２２、および１２４内の移動局とそれぞれ通信するように設計されている。
【００１５】
基地局は、端末との通信に使用される固定局とすることができ、また、アクセスポイント、ＮｏｄｅＢなどとも呼ばれ得る。移動局は、移動局、ユーザ機器（ＵＥ）、無線通信装置、端末、アクセス端末などとも呼ばれ得る。
【００１６】
図２を参照すると、多元接続無線通信システムのためのスペクトル割当て方式が示されている。複数のＯＦＤＭシンボル２００が、Ｔ個のシンボル周期およびＳ個の周波数サブキャリアにわたって割り当てられる。各ＯＦＤＭシンボル２００は、Ｔ個のシンボル周期のうちの１つのシンボル周期、およびＳ個のサブキャリアのうちの１つのトーンまたは周波数サブキャリアを備える。
【００１７】
ＯＦＤＭ周波数ホッピングシステムでは、１つまたは複数のシンボル２００が所与の移動局に割り当てられてもよい。図２に示されている割当て方式の一実施形態では、逆方向リンクを介した通信のために、１群の移動局へのシンボルの１つまたは複数のホップ領域、例えばホップ領域２０２。各ホップ領域内では、シンボルの割当ては、可能性としてあり得る干渉を低減し、有害なパス効果に対して周波数ダイバーシティを提供するために、ランダム化することができる。
【００１８】
各ホップ領域２０２は、基地局のセクタと通信し、ホップ領域に割り当てられる１つまたは複数の移動局に割り当てられるシンボル２０４を含む。別の実施形態では、各ホップ領域が１つまたは複数の移動局に割り当てられる。各ホップ周期またはフレーム中において、Ｔ個のシンボル周期およびＳ個のサブキャリア内のホップ領域２０２の位置は、ホッピングシーケンスに応じて変わる。さらに、ホップ領域２０２内の個々の移動局へのシンボル２０４の割当ては、ホップ周期ごとに変わり得る。
【００１９】
ホップシーケンスは、疑似ランダムに、ランダムに、または所定のシーケンスに従って、ホップ周期ごとにホップ領域２０２の位置を選択することができる。同じ基地局と通信する移動局間の「セル内」干渉を回避するために、同じ基地局の異なるセクタのホップシーケンスは、互いに直交するように設計されている。さらに、各基地局のホップシーケンスは、近くの基地局のホップシーケンスに対して疑似ランダムとすることができる。これは、異なる基地局と通信する移動局間の「セル間」干渉をランダム化するのを助けることができる。
【００２０】
逆方向リンク通信の場合、ホップ領域２０２のシンボル２０４の一部は、移動局から基地局に伝送されるパイロットシンボルに割り当てられる。パイロットシンボルのシンボル２０４への割当ては、好ましくは、空間分割多元接続（ＳＤＭＡ）をサポートすべきであり、この場合、異なる移動局に対応する空間署名に十分な差があることを前提として、同じホップ領域上で重複する異なる移動局の信号は、セクタまたは基地局での複数の受信アンテナによって分離することができる。異なる移動局の信号をより正確に抽出し、復調するために、それぞれの逆方向リンクチャネルは、正確に推定されるべきである。したがって、続いて異なる移動局から受信されたパイロットシンボルにマルチアンテナ処理を適用するために、逆方向リンクにおけるパイロットシンボルが、セクタ内の各受信アンテナで、異なる移動局のパイロット署名を分離することを可能にすることが望ましい場合がある。
【００２１】
ブロックホッピングは、システムに応じて、順方向リンクおよび逆方向リンクの両方に、または逆方向リンクのみに使用され得る。図２は、７シンボル周期長を有するホップ領域２００を示しているが、ホップ領域２００の長さは、任意の所望の量とすることができ、ホップ周期間、または所与のホップ周期における異なるホップ領域間でサイズが変わり得ることに留意されたい。
【００２２】
図２の実施形態は、ブロックホッピングの使用に関して示されているが、ブロックの位置は、連続するホップ周期間で変更する必要がない、またはまったく変更する必要がないことに留意されたい。
【００２３】
図３Ａおよび３Ｂを参照すると、いくつかの実施形態によるパイロット割当て方式のブロック図が示されている。ホップ領域３００および３２０は、Ｔ個のシンボル周期×Ｓ個のサブキャリアまたはトーンによって定義されている。ホップ領域３００は、パイロットシンボル３０２を含み、ホップ領域３２０は、パイロットシンボル３２２を含み、残りのシンボル周期とトーンの組合せは、データシンボルおよび他のシンボルに使用可能である。一実施形態では、各ホップ領域、すなわちＮＴ個の連続するＯＦＤＭシンボルにわたるＮＳ個の隣接するトーンのグループのパイロットシンボル位置は、ホップ領域の端の近くにパイロットトーンを配置しなければならない。これは、一般に、無線アプリケーションにおける代表的なチャネルが、時間および周波数の相対的に遅い関数であるため、時間および周波数におけるホップ領域にわたるチャネルの一次近似、例えば一次テイラー展開などによって、所与の移動局についてのチャネルを推定するのに十分なチャネル状態に関する情報が提供されるからである。したがって、移動局からのシンボルの適切な受信および復調のための１対のチャネルパラメータ、すなわち、チャネルの定数成分、つまりゼロ次項のテイラー展開、およびチャネルの時間および周波数のスパンにわたるチャネルの線形成分、つまり一次項テイラー展開を推定することが好ましい。一般に、定数成分の推定精度は、パイロットの位置に依存しない。線形成分の推定精度は、一般に、パイロットトーンがホップ領域の端に配置されている状態で達成されることが好ましい。
【００２４】
パイロットシンボル３０２および３２２は、隣接するパイロットシンボルクラスタ３０４、３０６、３０８、および３１０（図３Ａ）ならびに３２４、３２６、３２８、および３３０（図３Ｂ）に配列されている。一実施形態では、ホップ領域内の各クラスタ３０４、３０６、３０８、および３１０（図３Ａ）ならびに３２４、３２６、３２８、および３３０（図３Ｂ）は、所与のホップ領域内に、定数の、しばしば同じ数のパイロットシンボルを有している。隣接するパイロットシンボルのクラスタ３０４、３０６、３０８、および３１０（図３Ａ）ならびに３２４、３２６、３２８、および３３０（図３Ｂ）の使用は、一実施形態では、高いドップラーおよび／またはシンボル遅延スプレッド（delay spread）に起因するキャリア間の干渉によってもたらされるマルチユーザ干渉の影響を考慮に入れる。さらに、同じホップ領域においてスケジューリングされている移動局からのパイロットシンボルが、充分に異なる電力レベルで受信される場合、より強い移動局の信号は、かなりの量の干渉をより弱い移動局に作り出す可能性がある。過剰な遅延スプレッドによって漏れがもたらされると、すなわち、ＯＦＤＭシンボルの巡回プレフィックス（cyclic prefix）を超えるタップに集中したチャネルエネルギーの部分がかなり大きくなると、干渉の量は、サブキャリア１やサブキャリアＳなどホップ領域の端、およびシンボル周期１やＴなど端のＯＦＤＭシンボルでより高い。したがって、パイロットシンボルが専らホップ領域の端にある場合、チャネル推定精度の低下、および干渉推定におけるバイアスがあり得る。したがって、図３Ａおよび３Ｂに示されているように、パイロットシンボルは、ホップ領域の端の近くにあるが、すべてのパイロットシンボルがホップ領域の端にある状況を避ける。
【００２５】
図３Ａを参照すると、ホップ領域３００は、パイロットシンボル３０２から成る。時間選択性ではなく、顕著な周波数選択性を有するチャネルの場合、パイロットシンボル３０２は、隣接するパイロットシンボルクラスタ３０４、３０６、３０８、および３１０に配置されており、各パイロットシンボルクラスタ３０４、３０６、３０８、および３１０は、複数のシンボル周期および１つの周波数トーンにまたがる。周波数トーンは、好ましくは、ホップ領域３００の周波数範囲の端の近くにあるように選択されるが、厳密に端ではない。図３Ａの実施形態では、所与のクラスタ内のパイロットシンボル３０２はどれも、端の周波数トーンになく、各クラスタにおいて、パイロットシンボルのみが端のシンボル周期にあり得る。
【００２６】
パイロットシンボル３０２の隣接するパイロットシンボルクラスタの「水平」形状の背後にある１つの根拠は、より高い周波数選択性を有するチャネルの場合、一次（線形）成分は、時間領域より周波数領域においてより強い可能性があるということである。
【００２７】
図３Ａの実施形態における各クラスタ内の１つまたは複数のパイロットシンボルが異なるクラスタ内の１つまたは複数のパイロットシンボルとは異なるトーンにあり得ることに留意されたい。例えば、クラスタ３０４は、トーンＳにあり、クラスタ３０６は、トーンＳ−１にある場合もある。
【００２８】
図３Ｂを参照すると、周波数選択性ではなく、顕著な時間選択性を有するチャネルの場合、パイロットシンボル３２２は、それぞれ複数の周波数トーンにまたがるが、ホップ領域３２０の同じシンボル周期を有する隣接するパイロットシンボルのクラスタ３２４、３２６、３２８、および３３０に配列されている。ホップ領域３２０の端のＯＦＤＭシンボルは、Ｓ個のサブキャリアを定義する周波数範囲の最大トーン、例えばトーンＳなど、または最小トーン、例えばトーン１などを有するものであり、パイロットシンボルの一部として含まれ得る。というのは、ホップ領域３２０の端にあるパイロットシンボル３２２が存在し得るからである。しかし、図３Ｂに示されている実施形態では、各クラスタにおけるパイロットシンボル１つのみを、最大または最小の周波数サブキャリアに割り当てることができる。
【００２９】
図３Ｂに示されている実施形態において、より高い時間選択性を有するチャネルは、より高い周波数選択性（図３Ａ）を有するチャネルのために選択されたパターンの９０度の回転によって得られ得る代表的なパターンを有し得る。
【００３０】
図３Ｂの実施形態における各クラスタ内の１つまたは複数のパイロットシンボルが異なるクラスタ内の１つまたは複数のパイロットシンボルとは異なるシンボル周期に割り当てられ得ることに留意されたい。例えば、クラスタ３２４は、クラスタ３２６とは異なるシンボル周期Ｔにあり得る。
【００３１】
さらに、図３Ａおよび３Ｂの実施形態で示されているように、クラスタ３０４、３０６、３０８、および３１０（図３Ａ）ならびに３２４、３２６、３２８、および３３０（図３Ｂ）が、好ましくはホップ領域の中心に関して対称であるように、パイロットパターンが提供される。ホップ領域の中心に関するクラスタの対称性は、チャネルの時間および周波数の応答に関するチャネルの改良された同時推定を提供することができる。
【００３２】
図３Ａおよび３Ｂは、ホップ領域当たり４つのパイロットシンボルのクラスタを示しているが、各ホップ領域において、より少ないまたはより多い量のクラスタが使用されてもよいことに留意されたい。さらに、パイロットシンボルクラスタ当たりのパイロットシンボルの数が異なっていてもよい。パイロットシンボルおよびパイロットシンボルクラスタの合計数は、逆方向リンク上で受信されたデータシンボルを正常に復調し、基地局と移動局との間のチャネルを推定するために基地局によって必要とされるパイロットシンボルの数に応じて決まる。また、各クラスタが同じ数のパイロットシンボルを有している必要はない。単一のホップ領域にわたって多重化することができる移動局の数は、一実施形態では、ホップ領域内のパイロットシンボルの数に等しくてもよい。
【００３３】
さらに、図３Ａおよび３Ｂは、周波数選択性を有するチャネルまたは時間選択性を有するチャネルのために設計されたパイロットシンボルクラスタを示しているが、パイロットパターンは、例えば、クラスタ３０４、３０６、３０８、または３１０のパターンに配列されたいくつかのクラスタ、およびクラスタ３２４、３２６、３２８、または３３０のパターンに配列されたいくつかのクラスタなど、同じパイロットパターン内に周波数選択性チャネルのクラスタ、および時間選択性チャネルのクラスタが存在するようにすることができる。
【００３４】
一部の実施形態では、使用されるために選択されたパイロットパターンは、チャネルが最適化されている状態に基づいていてもよい。例えば、車両など高速移動の移動局を有する可能性のあるチャネルの場合、時間選択性パイロットパターンが好ましい場合があり、一方、歩行者など低速移動の移動局の場合、周波数選択性パイロットパターンが使用されてもよい。他の実施形態では、パイロットパターンは、所定の数のホップ周期の後に決定されるチャネル状態に基づいて選択することができる。
【００３５】
図３Ｃ〜３Ｅを参照すると、追加のパイロットパターンが示されている。図３Ｃで、例えば９個など、より多くの数のクラスタがあること、およびブロックのサイズが変わったことを除いて、ブロックが、３Ｂのものと同様のパイロットパターンを有するものとして示されている。追加のパイロットは、チャネル推定特性を向上させるために使用され得る。例えば、より速いユーザは、あまり速くないユーザより多くのクラスタおよび／またはクラスタ当たりのパイロットを有するなど、クラスタおよびクラスタ当たりのパイロットの数がユーザの測定された速度に応じて変わり得ることに留意されたい。
【００３６】
図３Ｄでは、周波数選択性状態のための追加のパイロットを備えるパイロットパターンが含まれている。これは、いくつかの態様において、ユーザの遅延スプレッド推定値に基づいて検出され得る高度な周波数選択性チャネルを有するユーザには有用であり得る。また、追加のパイロットを備えるこれらのパターンに切り替えるために、セル、セクタ、またはユーザ固有の閾値を計算するための、セクタまたはセルまたはユーザセッション情報についてのある時間にわたるチャネル統計。追加のパイロットは、例えば、より大きい周波数選択性を有する移動体ユーザなど、周波数の変動や、異なる周波数における異なるチャネル状態により変わるマルチパスのため、かなり有用である。
【００３７】
図３Ｅにおいて、複数の層を伝送している多入力多出力（multi-input multi-output：ＭＩＭＯ）移動局のパイロットクラスタが示されている。ここでは４つの各送信アンテナは、クラスタ内にいくつかのパイロットシンボルを含む。したがって、全アンテナより少ないアンテナが使用されている場合、より少ないパイロットを各クラスタに含めることができる。
【００３８】
図４Ａおよび４Ｂを参照すると、別の実施形態によるパイロット割当て方式が示されている。図４Ａでは、ホップ領域４００は、クラスタ４０２に配列されているパイロットシンボルＣ１，ｑ、Ｃ２，ｑ、およびＣ３，ｑ、クラスタ４０４に配列されているＣ４，ｑ、Ｃ５，ｑ、およびＣ６，ｑ、クラスタ４０６に配列されているＣ７，ｑ、Ｃ８，ｑ、およびＣ９，ｑ、ならびにクラスタ４０８に配列されているＣ１０，ｑ、Ｃ１１，ｑ、およびＣ１２，ｑを含む。一実施形態では、複数の移動局が重複するパイロットシンボルを提供するホップ領域における空間ダイバーシティを向上させるために、基地局のクラスタのアンテナで受信したときに、パイロットシンボルが充分に直交するように、異なる移動局のパイロットシンボルは、同じＯＦＤＭシンボル周期およびトーンにわたって多重化されるべきである。
【００３９】
図４Ａにおいて、パイロットシンボルＣ１，ｑ、Ｃ２，ｑ、Ｃ３，ｑ、Ｃ４，ｇ、Ｃ５，ｑ、Ｃ６，ｑ、Ｃ７，ｑ、Ｃ８，ｑ、Ｃ９，ｑ、Ｃ１０，ｑ、Ｃ１１，ｑ、およびＣ１２，ｑのそれぞれは、ホップ領域４００の複数の移動局に割り当てられ、すなわち、各シンボル周期は、いくつかの異なる移動局からの複数のパイロットシンボルを含む。例えばクラスタ４０２、４０４、４０６、および４０８などのパイロットシンボルクラスタ内のパイロットシンボルのそれぞれは、同じクラスタ内の他の各移動局からのパイロットシンボルに対して直交するように、例えば基地局などクラスタ内のパイロットシンボルの受信機がそれらを受信するように生成され、伝送される。これは、例えば、移動局のそれぞれによって伝送されるパイロットシンボルを構成するサンプルのそれぞれに掛けるスカラ関数など、所定の位相偏移を適用することによって行うことができる。直交性を提供ために、各移動局の各クラスタにおけるスカラ関数のシーケンスを表すベクトルの内積は、ゼロであり得る。
【００４０】
さらに、一部の実施形態では、各クラスタのパイロットシンボルがホップ領域の他の各クラスタのパイロットシンボルに直交することが好ましい。これは、パイロットシンボルの各クラスタ内の各移動局のパイロットシンボルに、スカラ関数の異なるシーケンスを使用することによって、異なる移動局からの各クラスタ内のパイロットシンボルに直交性が提供されるのと同じ方法で提供することができる。直交性の数学的決定は、すべてのクラスタ内の他の移動局および他のクラスタ内の同じ移動局のパイロットシンボルに使用されるスカラ倍のシーケンスを表すベクトルに対して、例えば、内積がゼロであるなど、そのベクトルが直交する、特定の移動局の特定のクラスタに関する各パイロットシンボルのスカラ倍のシーケンスを選択することによって行うことができる。
【００４１】
一実施形態では、クラスタのそれぞれにわたるパイロットシンボルの直交性が提供される場合、サポートされ得る移動局の数は、パイロットシンボルクラスタ当たり提供されるパイロットシンボルの数に等しい。
【００４２】
図４Ａおよび４Ｂの実施形態では、１≦ｑ≦Ｑである場合、Ｑ人の重複するユーザのうちのｑ番目のユーザは、ＮＰがパイロットトーンの合計数である（図４Ａおよび４Ｂでは、ＮＰ＝１２）である場合、サイズＮＰのシーケンスＳを使用し、
【数１】
2009514459.tif 000003
【００４３】
となり、ここで、（Ｔ）は、シーケンスを含む行列の転置を示す。上述したように、パイロットシンボルの各クラスタにおけるスカラ関数のシーケンスは、パイロットシンボル間の干渉の低減を通じて、それぞれのチャネルの整合性のある推定値を得るために、異なる移動局において異なるはずである。さらに、シーケンスは、線形独立でなければならず、したがって、シーケンスまたはベクトルが、残りのシーケンスの線形結合ではないことが好ましい。数学的に、これは、ＮＰ×Ｑの行列、
【数２】
2009514459.tif 000004
【００４４】
がフル列ランク（full column rank）のものであるということで定義され得る。上記の式（２）において、行列Ｑ≦ＮＰであることに留意されたい。すなわち、重複する移動局の数は、ホップ領域内の合計パイロットシンボルの数を超えないはずである。
【００４５】
上記に基づいて、フルランクＳを備えるシーケンスＱの任意の組は、整合性のあるチャネル推定を可能にする。しかし、他の実施形態において、実際の推定精度は、Ｓの相関特性に依存し得る。一実施形態では、式（１）を使用して決定できるように、チャネルの存在下で任意の２つのシーケンスが相互に（準）直交するとき、性能は向上し得る。数学的に、この条件は、
【数３】
2009514459.tif 000005
【００４６】
によって定義することができ、式中、Ｈｋは、１≦ｋ≦ＮＰであるとき、ｋ番目のパイロットシンボルに対応する複素チャネル利得である。時間および周波数不変チャネルＨ１＝Ｈ２＝・・・ＨＮＰ）では、条件（３）は、相互に直交するシーケンスの要件に帰着する。
【数４】
2009514459.tif 000006
【００４７】
代表的な１組のチャネルからの任意の可能なチャネルの実現のために、この条件を実施することは、非現実的であり得る。実際に、式（３）は、比較的小さい遅延スプレッドを有する歩行者のチャネルの場合のような、チャネルが限られた時間および周波数の選択性を示すときに満たされ得る。しかし、これらの条件は、車両のチャネルおよび／または著しい遅延スプレッドを有するチャネル上ではかなり異なり、それによって性能の低下がもたらされる。
【００４８】
図３Ａおよび３Ｂを参照して説明したように、パイロットの割当てパターンは、ホップ領域の端の近くに配置されているパイロットシンボルの２〜３のクラスタから成り、この場合、各クラスタは、時間（図３Ａ）および／または周波数（図３Ｂ）において隣接する。すべてのクラスタ内のチャネルの変動は、時間および周波数のパイロットシンボルの隣接性および、時間および周波数のチャネルの連続性のため、一般的に限られているからである。したがって、異なるシーケンスを各クラスタにわたって直交させることによって、条件（３）を満たすことができる。この解決策の可能性としてあり得る欠点は、すべてのクラスタにわたって直交し得る重複する移動局の数は、ここではＮＣと示される、クラスタのサイズに限定されることである。図４Ａおよび４Ｂに示されている例では、ＮＣ＝３であり、したがって、こうした実施形態では、最高Ｑ＝３までの移動局を、直交して分離することができる。実際に、多くの実際のシナリオでは、かなり小さい数のＱで十分である。Ｑ＞ＮＣであるとき、何らかのシンボル間干渉が存在する可能性があるので、すべてのクラスタにわたってすべての移動局を直交させておくことは難しい場合がある。したがって、Ｑ＞ＮＣである場合、時間および／または周波数が変動するチャネルの性能の多少の損失が伴うものの、近似の直交性で十分であり得る。
【００４９】
一実施形態では、スカラ関数のシーケンスＳ＝［Ｓ１・・・ＳＱ］についての１組の設計パラメータは、以下によって定義され得る。
【００５０】
・任意の２つのシーケンスは、パイロットシンボルの組全体にわたって直交し、それによって、
【数５】
2009514459.tif 000007
【００５１】
を満たす。
【００５２】
・ＮＣシーケンスに後続する複数のグループは、あるグループ内の任意の２つのシーケンスが、パイロットの任意のクラスタにわたって相互に直交するようになっている。
【数６】
2009514459.tif 000008
【００５３】
・すべてのシーケンスのすべての要素Ｓｋ，ｑは、例えばほぼ同じ電力など、実質的に等しい絶対値を有する。
【００５４】
ここでは、ＭＣは、パイロットの数がＮＰ＝ＭＣＮＣであるようなサイズＮＣのクラスタの合計数を示す。
【００５５】
一実施形態では、シーケンスＳ＝［Ｓ１・・・ＳＱ］は、シンボル当たり同じエネルギーが各シーケンスによって提供されるように、指数関数を使用して作成される。さらに、この実施形態では、（ｉ）各クラスタ内の指数シーケンスを定義し、（ｉｉ）複数のクラスタにわたってクラスタ内の部分を埋めることによって、ＮＣのシーケンスのグループを、指数が特定の倍数に制限されないので、クラスタのサイズにかかわらず、各クラスタ内で相互に、また、パイロットシンボルのすべてにわたる他のすべてのクラスタに使用されるシーケンスに直交させることができる。これは、Ｎ×Ｎ離散型フーリエ変換（ＤＦＴ）の基礎が定義される式（７）からわかる。
【数７】
2009514459.tif 000009
【００５６】
上記の式（７）は、以下のようなコンパクトなブロック形式で書くことができる。
【数８】
2009514459.tif 000010
【００５７】
式中、＜・＞：，１：Ｑは、元の行列の１からＱまでの列がまたぐ行列ブロックを示す。Ｓのより一般的な形は、以下によって得られる。
【数９】
2009514459.tif 000011
【００５８】
式中、Ｕは、任意のＮＣ×ＮＣユニタリ行列（Ｕ＊Ｕ＝ＩＮＰ）であり、Ｖは、任意のＭＣ×ＭＣユニタリ行列（Ｕ＊Ｕ＝ＩＭＣ）である。
【００５９】
一実施形態では、クラスタのそれぞれにわたるパイロットシンボルの直交性が提供される場合、サポートされ得る移動局の数は、パイロットシンボルクラスタ当たり提供されるパイロットシンボルの数に等しい。
【００６０】
一実施形態では、パイロットシンボルのサンプルに乗算するために使用される指数関数は、よく知られている離散型フーリエ変換関数を使用して生成される。伝送のためのシンボルの生成に離散型フーリエ変換関数が使用される実施形態では、シンボルの形成中に、伝送のためのシンボルを生成する際に離散型フーリエ変換関数を使用することによって、余分な位相偏移が適用される。
【００６１】
図４Ａおよび４Ｂの実施形態では、各移動局の各クラスタにおけるスカラ関数のシーケンスを表すベクトルの内積は、ゼロであり得る。しかし、他の実施形態では、これは当てはまらない。各移動局の各クラスタにおけるスカラ関数のシーケンス間の準直交性のみが提供されるように配列され得る。
【００６２】
さらに、ホップ領域に割り当てられた移動局の数が、ホップ領域に割り当てられたパイロットシンボルの数より少ない状況では、スカラシフトは、干渉推定を行うために使用されるように、基地局において依然として復号され得る。したがって、これらのパイロットシンボルは、干渉推定に使用され得る。というのは、これらは、ホップ領域に割り当てられた他の移動局によるパイロットシンボルに対して直交または準直交であるからである。
【００６３】
図４Ａおよび４Ｂを参照して説明した手法は、図３Ｃ〜３Ｅに示されているクラスタおよび構造に適用され得る。これらの場合、シーケンスの長さおよび数は、クラスタの数およびクラスタ当たりのパイロットシンボルの数をサポートするために変動する必要がある場合がある。
【００６４】
図５を参照すると、一実施形態による多元接続無線通信システムにおける複数セクタを含む基地局が示されている。基地局５００は、アンテナの複数のアンテナグループ５０２、５０４、および５０６を含む。図５では、アンテナグループ５０２、５０４、および５０６ごとにアンテナ１つのみが示されているが、複数のアンテナが使用されてもよい。各アンテナグループ５０２、５０４、および５０６の複数のアンテナは、異なる移動局の異なる物理的な場所に提供される空間ダイバーシティに加えて、対応するセクタ内の移動局から伝送される信号に、基地局における空間ダイバーシティを提供するために使用され得る。
【００６５】
基地局５００の各アンテナグループ５０２、５０４、および５０６は、基地局５００によってカバーされるためにセクタ内の移動局と通信するように構成される。図５の実施形態では、アンテナグループ５０２は、セクタ５１４をカバーし、アンテナグループ５０４は、セクタ５１６をカバーし、アンテナグループ５０６は、セクタ５１８をカバーする。各セクタ内で、図４を参照して説明したように、セクタ間のすべてのパイロットシンボルクラスタの間の直交性およびおおよその直交性のため、移動局から伝送されるパイロットシンボルは、正確に復調され、基地局でのチャネル推定および他の機能に使用される。
【００６６】
しかし、セクタ内干渉は、例えば、セクタ５１４および５１６の境界に近い移動局５１０など、セクタの境界近くの移動局に存在し得る。こうした場合、移動局５１０からのパイロットシンボルは、セクタ５１４および５１６の両方における他の移動局からのパイロットシンボルより低い電力であり得る。こうした状況では、移動局５１０は、特に、アンテナ５０４からの電力が増加する場合、サービス提供側セクタ、すなわちセクタ５１６の信号へのそのチャネルが衰える可能性があるとき、最終的には、両方のセクタアンテナでの受信の恩恵を得ることができることになる。セクタ５１４のアンテナ５０２からの受信の利益を十分得るには、セクタ５１４のアンテナ５０２間の移動局５１０のチャネルの正確な推定が提供されなければならない。しかし、同じまたは実質的に同じシーケンスが本パイロット設計を備える異なるセクタにおけるパイロットシンボルのスカラ倍に使用される場合、移動局５１０によって伝送されるパイロットシンボルは、移動局５１０がセクタ５１６においてスケジューリングされているのと同じホップ領域上のセクタ５１４でスケジューリングされている移動局５０８によって伝送されるパイロットシンボルと衝突する可能性がある。さらに、一部の場合、移動局を制御するために基地局によって使用される電力制御戦略に応じて、移動局５０８からのシンボルの電力レベルは、特に移動局５０８が基地局５００に近いとき、セクタ５１４のアンテナグループ５０２で、移動局５１０の信号レベルを充分に超える可能性がある。
【００６７】
生じる可能性のあるセクタ内干渉に対処するために、スクランブル符号（scrambling codes）が移動局に使用されてもよい。スクランブル符号は、個々の移動局に一意であるか、個々のセクタと通信する移動局ごとに同じとすることができる。一実施形態では、こうした特定のスクランブル符号によって、アンテナグループ５０２は、移動局５０８および５１０の複合チャネルを認識することができる。
【００６８】
単一の移動局がホップ領域全体に割り当てられる場合、所与のセクタ内のすべての移動局が、同じパイロットシーケンスを使用するように、ユーザ固有のスクランブルシーケンスが提供され得る。こうしたシーケンスの構成は、図４Ａおよび４Ｂを参照して説明されている。図５の例では、移動局５０８、５１０、および５１２は、異なるユーザ固有のスクランブルシーケンスを有していてもよく、したがって、十分なチャネル推定が達成され得る。
【００６９】
複数の移動局が同じホップ領域に割り当てられる場合、または割り当てられる可能性がある場合、クラスタ内干渉を低減するために、２つの手法を使用することができる。第１に、クラスタサイズＮＣが、各セクタ内の重複する移動局の数Ｑにセル内のセクタの数を掛けた数より大きいまたは等しい場合、ユーザ固有のスクランブルシーケンスが使用され得る。これが当てはまる場合、Ｑ個の異なるユーザ固有のスクランブル符号の別個の組を、異なるセクタに割り当てることができる。
【００７０】
しかし、クラスタサイズＮCが、各セクタ内の重複する移動局の数Ｑにセル内のセクタの数を掛けた数より少ない場合、システム設計の目標が限られたパイロットオーバーヘッドを維持するためにＮCを維持することだとしたら、これは、重要であり、ユーザ固有のスクランブル符号は、セル間の干渉を低減するのに有効でない場合がある。こうした場合、セクタ固有のスクランブルシーケンスは、ユーザ固有のスクランブルシーケンスとともに使用することができる。
【００７１】
セクタ固有のスクランブルシーケンスは、同じセクタ内のすべての移動局について、シーケンスＳ＝［Ｓ１・・・ＳＱ］のそれぞれの要素に乗算する、ＮＰ個の複素関数のシーケンスＸｓ＝［Ｘ１，ｓ，・・・，ＸＮＰ，ｓ］Ｔである。Ｓ個のセクタから成るセルにおいて、１組のＳ個のセクタ固有のスクランブルシーケンスＸ１，・・・ＸＳは、移動局のシーケンスＳ＝［Ｓ１・・・ＳＱ］に乗算するために使用され得る。こうした場合、同じユーザ固有のスクランブルシーケンスＳ＝［Ｓ１・・・ＳＱ］を使用する移動局を有し得る例えばセクタ５１４や５１６などの異なるセクタ内の移動局は、異なるセクタ固有のスクランブルシーケンスＸｓ１、およびＸｓ２がユーザ固有のスクランブルシーケンスに乗算するために使用されるため、異なり得る。
【００７２】
ユーザ固有のスクランブルと同様に、Ｘ１，・・・ＸＳのすべての入力は、パイロットシンボル間でほぼ等しい電力を維持するために、ほぼ等しい絶対値を有することが好ましい。他の実施形態では、Ｘ１，・・・ＸＳの入力は、ユーザ固有およびセクタ固有のスクランブルシーケンスの任意の２つの組合せに対応するパイロットシンボルクラスタ内のパイロットシンボルの任意の対が条件（３）を満たすようなものであることが好ましい。各セクタ固有のシーケンスＸ１，・・・ＸＳの内容の選択に対処する１つの方法は、すべてのシーケンスの要素を、ＱＰＳＫ、８−ＰＳＫなどの何らかの定数モジュラス（constant modulus）（ＰＳＫ）のコンステレーション（constellation）から取るなど、シーケンスの徹底的な検索を行うことから成る。選択基準は、可能性としてあり得るチャネル環境に基づく異なるセクタおよび異なるユーザ固有のスクランブルからの移動局の「最悪の」組合せに対応する「最悪の場合」のチャネル推定誤差分散に基づき得る。チャネル推定誤差は、チャネルの統計的な特性に基づいて分析的に計算され得る。具体的には、予想されるフェージングモデル、および時間選択性を定義する移動局の速度や、周波数選択性を定義する伝搬遅延スプレッドなどのパラメータに基づいてチャネル相関構造を想定するチャネル推定値の分散行列の追跡。真のチャネルの所与の相関構造を対象とする最小限の達成可能なチャネル推定誤差の解析式が当該技術分野において知られている。Ｘ１，・・・ＸＳの選択を最適にするために、他の類似の基準が使用されてもよい。
【００７３】
変調方式として直交振幅変調が使用される一実施形態では、使用され得る１組のセクタ固有のスクランブルシーケンスＸ１，・・・ＸＳが、以下の表１に示されている。表の各入力は、１≦ｓ≦Ｓ、および１≦ｋ≦ＮＰ、Ｓ＝３およびＮＰ＝１２の場合のすべてのＸｋ，ｓのＩおよびＱ成分を指定する。
【表１】
2009514459.tif 000012
【００７４】
変調方式として直交振幅変調が使用される一実施形態では、使用され得る１組のセクタ固有のスクランブルシーケンスＸ１，・・・ＸＳが、以下の表１に示されている。表の各入力は、１≦ｓ≦Ｓ、および１≦ｋ≦ＮＰ、Ｓ＝３およびＮＰ＝１２の場合のすべてのＸｋ，ｓのＩおよびＱ成分を指定する。
【００７５】
一部の実施形態では、通信ネットワークにおける各セルは、セクタ固有のスクランブルシーケンスに同じシーケンスを使用することができる。
【００７６】
図６を参照すると、別の一実施形態による多元接続無線通信システム６００が示されている。ユーザ固有のスクランブルシーケンスおよびセクタ固有のスクランブルシーケンスの同じ組が複数のセル、例えばセル６０２、６０４、６０６などで使用される場合、隣接するセルから来る干渉は、パイロットシンボルの衝突によるチャネル推定精度の低下をもたらし得る。例えば、対象のセクタ内のチャネル推定値は、移動局が同じユーザ固有およびセクタ固有のスクランブルを有している隣接するセルからの移動局のチャネルによってバイアスがかけられ得る。こうしたバイアスを回避するために、ユーザ固有のスクランブルおよびセクタ固有のスクランブルに加えて、セル固有のスクランブルが使用されてもよい。セル固有のスクランブル方式は、セル内のすべての移動局のパイロットシンボルのそれぞれのシーケンスに乗算するスカラ関数のベクトルであるＹｃ＝［Ｙｌ，ｃ・・・ＹＮＰ，Ｓ］Ｔによって定義され得る。ｃ番目のセルのｓ番目のセクタ内のｑ番目のユーザ固有のスクランブルを有する移動局に対応するパイロットシンボルの全体的なシーケンスＺ（ｑ，ｓ，ｃ）＝［Ｚ１，（ｑ，ｓ，ｃ）・・・，ＺＮＰ，（ｑ，ｓ，ｃ）］Ｔは、以下のように定義され得る。セクタ固有のスクランブルが使用されている場合、以下の通りである。
【数１０】
2009514459.tif 000013
【００７７】
セクタ固有のスクランブルが使用されていない場合、以下の通りである。
【数１１】
2009514459.tif 000014
【００７８】
すでに述べたように、セクタ固有のスクランブルの使用は、Ｑ＞１のときは推奨され、Ｑ＝１のときは推奨されない。
【００７９】
ユーザ固有およびセクタ固有のスクランブルとは異なり、セル固有のスクランブルシーケンスの特定の最適化を使用する必要は全くない。使用できる２つの設計パラメータは、以下の通りである。
【００８０】
・セル固有のスクランブルシーケンスのすべての要素は、等しい係数を有している。
【００８１】
・セル固有のスクランブルシーケンスは、異なるセルについて充分に異なる。
【００８２】
基地局のネットワークを介したセル固有のスクランブルシーケンスの所定の割当てがないとき、ＱＰＳＫや８−ＰＳＫなどの何らかの定数係数（ＰＳＫ）のコンステレーションからの（疑似）ランダムのセル固有のスクランブルシーケンスを、Ｙ個のセル固有のシーケンスの形成に使用してもよい。セル固有のスクランブルのランダム化をさらに強化し、スクランブルシーケンスの悪い定常的な組合せを避けるために、セル固有のスクランブルが、（疑似）ランダムに、定期的に変更されてもよい。一部の実施形態では、定期的な変更は、各フレーム、スーパーフレーム、または複数のフレームやスーパーフレームとすることができる。
【００８３】
図７は、ＭＩＭＯシステム７００における送信機システム７１０および受信機システム７５０の一実施形態のブロック図である。送信機システム７１０で、いくつかのデータストリーム（data stream）のトラヒックデータが、データソース７１２から送信（ＴＸ）データプロセッサ７１４に提供される。一実施形態では、各データストリームは、それぞれの送信アンテナを介して伝送される。ＴＸデータプロセッサ７１４は、符号化されたデータを提供するために、そのデータストリームのために選択された特定の符号化方式に基づいて、各データストリームのトラヒックデータをフォーマットし、符号化し、インタリーブする。
【００８４】
各データストリームの符号化データは、ＯＦＤＭ技術を使用して、パイロットデータと多重化され得る。パイロットデータは、一般に、既知の方法で処理される既知のデータパターンであり、チャネル応答を推定するために、受信機システムで使用され得る。次いで、多重化されたパイロットおよび各データストリームの符号化データは、変調シンボルを提供するために、そのデータストリームのために選択された特定の変調方式（ＢＰＳＫ、ＱＳＰＫ、Ｍ−ＰＳＫ、Ｍ−ＱＡＭなど）に基づいて変調（すなわちシンボルマッピング）される。各データストリームのデータレート、符号化、および変調は、コントローラ１３０によって実行される、または提供される命令によって決定され得る。
【００８５】
次いで、すべてのデータストリームの変調シンボルがＴＸプロセッサ７２０に提供され、ＴＸプロセッサ７２０は、（例えばＯＦＤＭ用に）変調シンボルをさらに処理することができる。次いでＴＸプロセッサ７２０は、ＮＴ個の変調シンボルストリームをＮＴ個の送信機（ＴＭＴＲ）７２２ａから７２２ｔまでに提供する。各送信機７２２は、それぞれのシンボルストリームを受信し、１つまたは複数のアナログ信号を提供するように処理し、さらに、ＭＩＭＯチャネルを介した伝送に適した変調信号を提供するために、アナログ信号を調整（増幅、フィルタリング、アップコンバートなど）する。次いで、送信機７２２ａから７２２ｔまでのＮＴ個の変調信号は、ＮＴ個のアンテナ１２４ａから１２４ｔにそれぞれ伝送される。
【００８６】
受信機システム７５０で、伝送された変調信号は、ＮＲ個のアンテナ７５２ａから７５２ｒによって受信され、各アンテナ７５２からの受信信号は、それぞれの受信機（ＲＣＶＲ）７５４に提供される。各受信機７５４は、それぞれの受信信号を調整（フィルタリング、増幅、およびダウンコンバートなど）し、サンプルを提供するために調整済み信号をディジタル化し、さらに、対応する「受信済み」シンボルストリームを提供するために、サンプルを処理する。
【００８７】
次いで、ＲＸデータプロセッサ７６０は、ＮＲ個の受信機７５４からＮＲ個の受信済みシンボルストリームを受信し、特定の受信機処理技術に基づいて処理して、ＮＴ個の「検出された」シンボルストリームを提供する。ＲＸデータプロセッサ７６０による処理について、以下でさらに詳しく説明する。検出された各シンボルストリームは、対応するデータストリームのために伝送された変調シンボルの推定値であるシンボルを含む。次いで、ＲＸデータプロセッサ７６０は、検出された各シンボルストリームを復調し、逆インタリーブし、復号化して、データストリームのトラヒックデータを復元する。ＲＸデータプロセッサ７６０による処理は、送信機システム７１０でＴＸプロセッサ７２０およびＴＸデータプロセッサ７１４によって実行されたものと相補的な関係にある。
【００８８】
ＲＸプロセッサ７６０は、例えばトラヒックデータと多重化されたパイロット情報に基づいて、ＮＴ個の送信アンテナとＮＲ個の受信アンテナとの間のチャネル応答の推定値を導出することができる。ＲＸプロセッサ７６０は、各パイロットシンボルに割り当てられた周波数サブキャリアおよびシンボル周期を識別する、例えばメモリ７７２などのメモリに格納されているパイロットパターンに従って、パイロットシンボルを識別することができる。さらに、ユーザ固有、セクタ固有、およびセル固有のスクランブルシーケンスは、適切な復号化が行われ得るように受信されたシンボルに乗算するために、ＲＸプロセッサ７６０によって使用され得るように、メモリに格納されてもよい。
【００８９】
ＲＸプロセッサ７６０によって生成されたチャネル応答推定値は、受信機での空間、時空間処理を行う、電力レベルを調整する、変調レートまたは方式を変更する、または他のアクションのために使用され得る。ＲＸプロセッサ７６０は、さらに、検出されたシンボルストリームの信号対干渉雑音比（signal-to-noise-and-interference ratios：ＳＮＲ）、および場合によっては他のチャネルの特性を推定することができ、これらの量をコントローラ７７０に提供する。ＲＸデータプロセッサ７６０またはコントローラ７７０は、さらに、システムの「動作」ＳＮＲの推定値を導出することができる。次いでコントローラ７７０は、通信リンクおよび／または受信されたデータストリームに関する様々なタイプの情報を備え得るチャネル情報（channel state information：ＣＳＩ）を提供する。例えば、ＣＳＩは、動作ＳＮＲのみを備え得る。次いでＣＳＩは、データソース７７６からいくつかのデータストリームのトラヒックデータも受信するＴＸデータプロセッサ７７８によって処理され、変調器７８０によって変調され、送信機７５４ａから７５４ｒによって調整され、送信機システム７１０に戻される。
【００９０】
送信機システム７１０で、受信機システム７５０からの変調信号は、アンテナ７２４によって受信され、受信機７２２によって調整され、復調器７４０によって復調され、ＲＸデータプロセッサ７４２によって、受信機システムによって報告されたＣＳＩを復元するように処理される。次いで報告されたＣＳＩは、コントローラ７３０に提供され、（１）データストリームに使用されるデータレート、符号化方式、および変調方式を決定し、（２）ＴＸデータプロセッサ７１４およびＴＸプロセッサ７２０の様々な制御を生成するために使用される。
【００９１】
コントローラ７３０および７７０は、それぞれ送信機システムおよび受信機システムでの動作を指示する。メモリ７３２および７７２は、それぞれコントローラ７３０および７７０によって使用されるプログラムコードおよびデータの格納域を提供する。メモリ７３２および７７２は、クラスタ位置、ユーザ固有のスクランブルシーケンス、使用される場合はセクタ固有のスクランブルシーケンス、および使用される場合はセル固有のスクランブルシーケンスに関して、パイロットパターンを格納する。一部の実施形態では、複数のパイロットパターンは、周波数選択性パイロットパターンおよび時間選択性パイロットパターンの両方を送信機が送信し、受信機が受信するように、各メモリに格納される。また、時間選択性チャネルおよび周波数選択性チャネルに対応するクラスタを有する組合せパイロットパターンを使用してもよい。これによって、送信機は、パラメータ、こうしたランダムなシーケンスに基づいて、または基地局からの命令に応答して、特定のパターンを伝送することができる。
【００９２】
次いで、プロセッサ７３０および７７０は、パイロットパターン、ユーザ固有のスクランブルシーケンス、セクタ固有のスクランブルシーケンス、およびセル固有のスクランブルシーケンスのどれがパイロットシンボルの伝送に使用されるべきかを選択することができる。
【００９３】
受信機で、ＮＲ個の受信信号を処理して、ＮＴ個の伝送済みシンボルストリームを検出するために、様々な処理技術を使用することができる。これらの受信機処理技術は、（ｉ）空間、および時空間受信機処理技術（等化技術とも呼ばれる）、および（ｉｉ）「逐次ヌル処理／等化および干渉除去（successive nulling/equalization and interference cancellation）」受信機処理技術（「逐次干渉除去」または「逐次除去」受信機処理技術とも呼ばれる）の２つの主要なカテゴリにグループ分けすることができる。
【００９４】
図７は、ＭＩＭＯシステムを示しているが、このシステムは、例えば基地局のものなど複数の送信アンテナが、１つまたは複数のシンボルストリームを、例えば移動局など信号アンテナ装置に伝送する多入力単一出力システム（multi-input single-output system）に適用されてもよい。また、図７を参照して説明したのと同じ方法で、単一出力−単一入力アンテナシステム（single output to single input antenna system）が使用されてもよい。
【００９５】
図８を参照すると、一実施形態によるパイロットシンボル生成の方法のフローチャートが示されている。ブロック８００で、複数のパイロットシンボルクラスタが、ホップ領域中に、特定の移動局から伝送されるように選択される。これらのパイロットシンボルクラスタはすべて、周波数選択性（図３Ａ）、時間選択性のチャネル（図３Ｂ）における伝送のために調整されたもの、またはクラスタの組合せであり、その一部が周波数選択性および時間選択性のチャネルでの伝送のために調整されたものであってもよい。さらに、パイロットクラスタは、ユーザの高度の移動度があるかどうかに基づいて選択されてもよい。これは、基地局でチャネル推定を向上させるために行われ得る。また、移動局での伝送に使用されるアンテナの数、およびこれらのアンテナから伝送されている情報ストリームの数が使用され得る。選択されたクラスタの数およびクラスタ当たりのパイロットシンボルの数。
【００９６】
パイロットシンボルクラスタが一旦選択されると、ブロック８０２で、移動局が通信している基地局のクラスタが複数の移動局をサポートしているか、複数の移動局と通信しているかに関する決定が行われる。この決定は、移動局におけるネットワークの所定の知識に基づいていてもよい。または、この情報は、そのパイロット情報またはブロードキャストメッセージの一部として、基地局のセクタから伝送されてもよい。
【００９７】
クラスタが複数の移動局との通信をサポートしていない場合、または現在複数の移動局と通信していない場合、ブロック８０４で、移動局が通信しているクラスタに一意のパイロットシンボルにスカラ関数が適用される。一実施形態で、各セクタのスカラ関数は、移動局に格納され、そのパイロット情報またはブロードキャストメッセージの一部であるセクタ識別信号に基づいて使用され得る。
【００９８】
クラスタが複数の移動局との通信をサポートする場合、ブロック８０６で、移動局に一意のパイロットシンボルにスカラ関数が適用される。一部の実施形態では、各移動局のスカラ関数は、登録に使用される、または製造時に装置に提供されるその一意の識別子に基づき得る。
【００９９】
移動局が通信しているセクタまたは移動局自体のいずれかに一意のスカラ関数がパイロットシンボルに適用された後、ブロック８０８で、別のスカラ関数のシーケンスがパイロットシンボルに適用される。このスカラ関数のシーケンスは、移動局が通信しているセルに関連する。移動局に知られている、または移動局に提供されたスカラ関数が各セルに特に割り当てられていない場合、このスカラ関数は、時間が経つにつれて変わる可能性がある。この操作後、パイロットシンボルは、移動局から基地局に送信され得る。
【０１００】
図８を参照して説明したスカラ関数は、一実施形態では、パイロットシンボルを構成するサンプルのそれぞれの位相偏移を伴う場合がある。図４Ａ、４Ｂ、５、および６を参照して説明したように、スカラ関数は、パイロットシンボルの各クラスタが、他のパイロットシンボルクラスタ内の同じ移動局からのパイロットシンボルの他の各組に直交になり、基地局の同じセクタの他の移動局については、同じまたは他のパイロットシンボルクラスタ内のものに直交になるように選択される。
【０１０１】
さらに、図８を参照して説明したブロックはそれぞれ、プロセッサ、コントローラまたは他の電子回路によって実施される、メモリなどのコンピュータ可読媒体上の１つまたは複数の命令として実施され得る。
【０１０２】
図９を参照すると、一実施形態によるパイロットシンボルパターンを変える方法のフローチャートが示されている。ブロック９００で、チャネル状態に関する情報が取得される。この情報は、１つまたは複数の移動局でのＳＮＲ比、チャネルの選択性、トラヒックタイプ、歩行者または車両、遅延スプレッド、またはチャネルの他の特徴を備え得る。この情報は、基地局によって決定されるか、移動局から提供されたチャネル品質情報フィードバックとして提供され得る。
【０１０３】
この情報は、ブロック９０２で、チャネル状態を決定するために分析される。分析は、チャネルが周波数選択性か、時間選択性か、またはその組合せであるかの決定であり得る。次いで、この分析は、ブロック９０４で、セクタまたは基地局と通信し得る移動局から伝送されることになっているパイロットシンボルパターンを決定するために使用される。これらのパイロットシンボルクラスタはすべて、周波数選択性（図３Ａ）、時間選択性のチャネル（図３Ｂ）における伝送のために調整されたもの、またはクラスタの組合せであり、その一部が周波数選択性および時間選択性のチャネルでの伝送のために調整されたものであってもよく、車両または他の移動トラヒックに使用される（図３Ｄ）、ＭＩＭＯシステムのために最適化される（図３Ｅ）、またはその組合せであってもよい。次いで、選択された固有のパイロットパターンは、基地局またはセクタのために再度診断が行われるようなときまで、基地局またはセクタと通信するすべての移動局によって使用され得る。
【０１０４】
基地局または基地局セクタで通信する移動局で特定のパイロットパターンを実施するために、初期化またはセットアップ手順の一部として、基地局またはセクタから移動局に、命令が送信され得る。一部の実施形態では、パイロットパターン、ユーザ固有のスクランブルシーケンス、セクタ固有のスクランブルシーケンス、および／またはセル固有のスクランブルシーケンスのどれが使用されるべきかに関する情報は、定期的に、または初期化またはセットアップ中に、基地局から移動局に伝送される１つまたは複数のデータパケットのプリアンブルで伝送され得る。
【０１０５】
パイロットシンボルの各クラスタおよびパイロットシンボルのグループで伝送されるべきパイロットシンボルの数を決定するために、分析が使用されてもよいことに留意されたい。また、図９を参照して説明したブロックはそれぞれ、プロセッサ、コントローラまたは他の電子回路によって実施される、メモリや取外し式媒体などのコンピュータ可読媒体上の１つまたは複数の命令として実施され得る。
【０１０６】
図１０を参照すると、パイロットパターン選択の方法のフローチャートが示されている。ブロック１０００で、所与のユーザの周波数選択性に関する決定が行われる。これは、例えば、ユーザの速度、ユーザのドップラースプレッド（doppler spread）、ユーザの遅延スプレッド、または使用された移動度関連のユーザの状態であり得る他のチャネル情報に基づいて行われてもよい。次いでこの情報は、ブロック１００２で、基地局へのユーザによる伝送のために、複数のパイロットパターンのうちの１つまたは複数を選択するために使用され得る。この選択には、例えば、伝送するいくつかのパイロット、および合計とクラスタごとのパイロットの数が含まれていてもよい。さらに、選択は、ユーザがＭＩＭＯユーザであるか否か、およびユーザの移動度についての情報を含み得る。この選択は、ユーザの周波数選択性と、１回以上の周期にわたってユーザ、セクタ、またはセルについてチャネル統計によって決定される何らかの周波数選択性閾値との関係を決定することによって行ってもよい。次いで、ユーザが、基地局への後の伝送にパイロットパターンを使用できるように、ブロック１００４で、パイロットパターンの表示がユーザに伝送される。
【０１０７】
図１０には、基地局がユーザの移動度に関する決定を行い得ることを示しているが、同じ手法が移動局によって使用されてもよいことに留意されたい。この場合、ブロック１０００は、基地局によって伝送された順方向リンクパイロットに基づいて行われ、ブロック１００４は省略されてもよい。
【０１０８】
本明細書に記載された技術は、様々な手段によって実装することができる。例えば、これらの技術は、ハードウェア、ソフトウェア、またはその組合せに実装されてもよい。ハードウェア実装の場合、基地局または移動局内の処理装置は、１つまたは複数の特定用途向け集積回路（ＡＳＩＣ）、ディジタル信号プロセッサ（ＤＳＰ）、ディジタル信号処理装置（ＤＳＰＤ）、プログラム可能論理装置（ＰＬＤ）、フィールドプログラマブルゲートアレイ（ＦＰＧＡ）、プロセッサ、コントローラ、マイクロコントローラ、マイクロプロセッサ、本明細書に記載された機能を実行するように設計されている他の電子装置、またはその組合せ内に実装され得る。
【０１０９】
ソフトウェア実装の場合、本明細書に記載された技術は、本明細書に記載された機能を実行するモジュール（手順、関数など）により実装され得る。ソフトウェアコードは、メモリ装置に格納され、プロセッサによって実行されてもよい。メモリ装置は、プロセッサ内に実装されるか、プロセッサの外部に実装されてもよく、この場合、当分野で使用されているような様々な手段を介してプロセッサに通信可能に結合することができる。
【０１１０】
開示された実施形態の上記の説明は、当業者が本発明を作成し、または使用できるように提供されている。これらの実施形態への様々な変更は、当業者には容易に明らかであり、本明細書に定義された一般的な原理は、本発明の意図または範囲から逸脱することなく、他の実施形態に適用され得る。したがって、本発明は、本明細書に示された実施形態に限定されるものではなく、本明細書に開示された原理および新規の特徴と合致する最も広い範囲が与えられるものとする。
【図面の簡単な説明】
【０１１１】
【図１】一実施形態による多元接続無線通信システムを示す図。
【図２】一実施形態による多元接続無線通信システムのためのスペクトル割当て方式を示す図。
【図３Ａ】一実施形態によるパイロット割当て方式を示すブロック図。
【図３Ｂ】別の一実施形態によるパイロット割当て方式を示すブロック図。
【図３Ｃ】別の実施形態によるパイロット割当て方式を示すブロック図。
【図３Ｄ】別の実施形態によるパイロット割当て方式を示すブロック図。
【図３Ｅ】別の実施形態によるパイロット割当て方式を示すブロック図。
【図４Ａ】一実施形態によるパイロットシンボルスクランブル方式を示す図。
【図４Ｂ】別の一実施形態によるパイロットシンボルスクランブル方式を示す図。
【図５】一実施形態による多元接続無線通信システムにおける複数セクタを含む基地局を示す図。
【図６】別の一実施形態による多元接続無線通信システムを示す図。
【図７】多入力多出力多元接続無線通信システムにおける送信機システムおよび受信機システムの一実施形態を示すブロック図。
【図８】一実施形態によるパイロットシンボル生成の方法を示すフローチャート。
【図９】一実施形態によるパイロットシンボルパターンを変える方法を示すフローチャート。
【図１０】パイロットパターン選択の方法を示すフローチャート。
【図１】
2009514459.tif 000015
【図２】
2009514459.tif 000016
【図３Ａ】
2009514459.tif 000017
【図３Ｂ】
2009514459.tif 000018
【図３Ｃ】
2009514459.tif 000019
【図３Ｄ】
2009514459.tif 000020
【図３Ｅ】
2009514459.tif 000021
【図４Ａ】
2009514459.tif 000022
【図４Ｂ】
2009514459.tif 000023
【図５】
2009514459.tif 000024
【図６】
2009514459.tif 000025
【図７】
2009514459.tif 000026
【図８】
2009514459.tif 000027
【図９】
2009514459.tif 000028
【図１０】
2009514459.tif 000029
【国際調査報告】
2009514459.tif 000030
2009514459.tif 000031
2009514459.tif 000032